(57)【要約】【課題】  歩車道の境界に耐久性のさらに高い側溝を低コストで施工できる側溝用ブロックを提供する。【解決手段】  長手方向に延びたコンクリート製の流路を有する側溝用ブロック１において、埋設されたときに地表面に出る長手方向に延びた縁１１および１２のうち、一方の縁１１に鋼製のアングル２０が埋設され、他方の縁１２にはアングルが埋設されていないコンクリート製の側溝用ブロック１を提供する。この側溝用ブロック１を、アングル２０が埋設された縁１１が車道に面するように歩車道の境界に埋め込んで側溝を施工することにより、車道側の耐久性が高く、アングル２０により歩車道の境界を明示することができる側溝を施工できる。【選択図】          図１
2005290745.tif 000002
【特許請求の範囲】
【請求項１】
長手方向に延びたコンクリート製の流路を有する側溝用ブロックであって、埋設されたときに地表面に出る縁のうち、前記長手方向に延びた一方の縁は鋼製であり、前記長手方向に延びた他方の縁はコンクリート製である側溝用ブロック。
【請求項２】
請求項１において、前記鋼製の一方の縁を除いた当該側溝用ブロックの上面に模様が形成されている、側溝用ブロック。
【請求項３】
請求項１において、前記一方の縁は、亜鉛メッキ製またはステンレススチール製である、側溝用ブロック。
【請求項４】
請求項１において、前記鋼製の一方の縁は、埋設された鋼製のアングル材により構成されている、側溝用ブロック。
【請求項５】
請求項４において、前記アングル材の側面が、当該側溝用ブロックのコンクリート製の側面から後退している、側溝用ブロック。
【請求項６】
請求項４において、前記アングル材の側面と、当該側溝用ブロックのコンクリート製の側面との間に段差がある、側溝用ブロック。
【請求項７】
請求項１において、前記他方の縁は、縁石を設置できるように凹んでいる、側溝用ブロック。
【請求項８】
請求項４において、当該側溝用ブロックの上面が傾いている、側溝用ブロック。
【請求項９】
請求項８において、前記アングル材の側面が、当該側溝用ブロックのコンクリート製の側面に対して傾いて埋設されている、側溝用ブロック。
【請求項１０】
請求項１において、当該側溝用ブロックは、断面がＵ字型のＵ字型側溝、底面を現場で施工し上壁の一部が開渠となった自由勾配側溝、または、カルバート型側溝の施工用である、側溝用ブロック。
【請求項１１】
長手方向に延びたコンクリート製の流路を有する側溝用ブロックであって、埋設されたときに地表面に出る少なくとも１つの縁に、鋼製のアングル材が埋め込まれており、前記アングル材の側面が、当該側溝用ブロックのコンクリート製の側面から後退している側溝用ブロック。
【請求項１２】
長手方向に延びたコンクリート製の流路を有する側溝用ブロックであって、埋設されたときに地表面に出る少なくとも１つの縁に、鋼製のアングル材が埋め込まれており、前記アングル材の側面と、当該側溝用ブロックのコンクリート製の側面との間に段差がある側溝用ブロック。
【請求項１３】
請求項１ないし１２のいずれかに記載された側溝用ブロックを接続して、車道と、歩道または民地との間に製造された側溝であって、
前記鋼製の一方の縁が車道側に配置された側溝。
【請求項１４】
請求項１ないし１３のいずれかに記載された側溝用ブロックにより、車道と、歩道または民地との間に側溝を敷設する方法であって、
前記鋼製の一方の縁が車道側に向くように前記側溝用ブロックを配置して接続する工程を有する敷設方法。
【請求項１５】
長手方向に延びたコンクリート製の流路を有する側溝用ブロックを耐久性の型枠により製造する方法であって、
前記側溝用ブロックが埋設されたときに地表面に出る長手方向の縁の少なくともいずれか一方を形成する前記型枠のコーナー部分の、前記側溝用ブロックのコンクリート製の側面を形成する側に前記コーナー部分の面取りと同程度の厚みの補助プレートを取付ける工程と、
その補助プレートの内側にアングル材を配置する工程と、
前記型枠にコンクリートを注入し、前記少なくともいずれか一方の縁に前記アングル材が埋設された前記側溝用ブロックを形成する工程とを有する製造方法。
【発明の詳細な説明】
【技術分野】
【０００１】
本発明は、側溝用ブロック及びそれを用いた側溝に関するものである。
【背景技術】
【０００２】
特開平７−２９２７５６号公報には、両側のコーナーアングル同士を連結した受枠を逆さにして型枠にセットし、両側にコーナーアングルが埋設された逆Ｕ字型の溝ブロックを製造することが記載されている。実開昭６１−１２５５７８号公報には、両コーナーを含めて受枠が埋設されたＵ字型の側溝が記載されている。
【特許文献１】特開平７−２９２７５６号公報
【特許文献２】実開昭６１−１２５５７８号公報
【発明の開示】
【発明が解決しようとする課題】
【０００３】
これらのコーナーアングルは、側溝の外側のコンクリートのコーナー部を車両が繰り返し通過することにより加わる負荷に対してコンクリートの損傷を防止し、耐久性を向上することを目的として埋設されている。コーナーアングルが埋設された側溝および側溝用ブロックは、両側のコーナーにアングルやチャンネルなどの鋼板による部材が埋め込まれたものだけであり、一方のコーナーのみがアングルなどの鋼板により補強された側溝および側溝用ブロックはいずれにも開示されておらず、また、提供されていない。
【課題を解決するための手段】
【０００４】
そこで、本発明においては、長手方向に延びたコンクリート製の流路を有する側溝用ブロックであって、埋設されたときに地表面に出る縁のうち、長手方向に延びた一方の縁は鋼製であり、長手方向に延びた他方の縁はコンクリート製である側溝用ブロックを提供する。従来のアングルが埋設された側溝用ブロックは、車両が横断する部分への適用が考えられており、道路を横断する側溝を施工するときや、側溝の駐車場などの入口部分を施工するときにのみ用いられている。その理由は幾つか考えられるが、１つは、コーナーにアングルを埋設するために材料費と手間がかかり、アングルが埋設されていない側溝用ブロックに比較すると両側にアングルが埋設された側溝用ブロックは高価であり、経済的には使用の範囲を最小限に止めることが要求されることである。また、他の理由としては、車道や歩道など、側溝が施工される周囲の環境はコンクリートあるいはそれに類するものが主体となって構成されており、そこに、鋼製の部材が理由もなく存在することは道路を設計する際に有りうることではなく、当然に、鋼製の部材が埋設された側溝が施工される部分は限定されることになるからである。
【０００５】
したがって、従来の側溝あるいは側溝を含めた道路の設計において、片側だけにアングルが埋設された側溝を施工することに想到するとする理由はない。本発明の、片側の縁（コーナー）のみがアングルなどにより補強されたコンクリート製の側溝用ブロックを提供することにより、道路横断部のみでなく、道路に沿った側溝全体を、アングルが埋設された側溝用ブロックを用いて施工するという新たな設計の側溝が登場する。逆に、片側のコーナーのみが補強されている側溝用ブロックは、両コーナーに負荷がかかる道路横断部に不向きであり、本発明の側溝用ブロックが、従来の両コーナーがアングルなどにより補強された側溝用ブロックと同様に道路横断部に用いられる可能性はほとんどない。
【０００６】
本発明の側溝用ブロックを用いた側溝の形態の内、もっとも好適なものは、本発明の側溝用ブロックを接続して、車道と、歩道又は民地との間に製造（施工）された側溝であって、アングルなどにより補強された鋼製の一方の縁が車道側に配置された側溝である。また、本発明の側溝用ブロックを用いた側溝の施工方法において好適なものは、車道と、歩道又は民地との間に側溝を敷設する際に、鋼製の一方の縁が車道側に向くように側溝用ブロックを配置して接続する工程を有する敷設方法である。
【０００７】
このように施工された本発明の側溝は、道路に沿って、道路側に鋼製の補強されたコーナーがあり、反対側は鋼製で補強されていないコンクリート製のコーナーがあるという、上面の構成が非対称な側溝となる。まず、本発明の側溝用ブロックは、一方のコーナーのみが補強されているだけなので、両コーナーが補強されている側溝用ブロックよりも製造コストは安い。したがって、側溝の道路横断部という限定された部分ではなく、本発明の側溝用ブロックにより側溝の殆どの部分を占める道路に沿った部分を施工することが経済的な面でも可能になり、少なくとも設計する際に検討する対象になる。
【０００８】
また、道路に沿った部分の側溝を施工する側溝用ブロックということになると、特許文献１および２に示されているように、蓋受の部分とコーナーの部分が一体になった複雑な鋼製の部材を作成して埋設しなくても良く、アングル材などの簡易な構成の部材を一方のコーナーに埋め込んで補強することで、本発明の目的を果たすことができる。すなわち、従来の両コーナーが補強された側溝用ブロックは、道路横断部を施工することを考えて設計されているので、開口に設置される蓋も強度の高いグレーチングが想定されている。したがって、車両が通過する際のグレーチングの跳ね上げを防止するためにネジでグレーチングを止めたり、グレーチングに繰り返し加わる負荷によりコンクリート製の蓋受け部分が損傷しないように、蓋受けも含めた特別な形状あるいは構成の鋼材を生成し、側溝用ブロックを製造する際にコンクリートに埋め込んでいる。特別な構成の鋼材は、その形状からも、また、グレーチング蓋を固定するためのスタッドボルトを設けたりする構成からも、汎用性は全くない。
【０００９】
これに対し、側溝の道路脇の歩道などに沿って施工される部分は、車両が基本的には通過しない、あるいは通過するとしても、車両のすれ違いや、路肩に停車する目的に限られる。したがって、グレーチング蓋に積極的にする理由はなく、コンクリート製の蓋を載せる設計で問題はない。このため、コーナーに限定した補強を行えば良く、アングル材などの汎用性があり、市販されている鋼材を埋め込むことで対応できる。したがって、この点でも、本発明の側溝用ブロックは極めて低コストで製造および販売できる。
【００１０】
本発明にかかる、道路側が鋼材により補強されており、反対側が補強されていない側溝用ブロックにより施工された側溝は、鋼材により補強された縁の損傷を防止できることに加えて、実に様々な効果を奏する。１つの効果は、一方の縁に鋼材が埋め込まれているので、その鋼材が路肩あるいは歩車道の境界として利用できることである。両縁に鋼材が埋め込まれているものでは、どちらの鋼材によるラインを境界にするのか示すことができないが、一方の縁に鋼材が埋め込まれていれば、その鋼材により構成されるラインは１つになり、境界として利用できる。一方の縁が、亜鉛メッキ製又はステンレススチール製の鋼材により形成されている側溝用ブロックは、鋼材が錆び難いので長期間にわたり境界を明確に指示でき、また、反射性なので夜間においても境界が明確になる。
【００１１】
歩車道の境界は、境界用ブロックを埋設して高さで指示している場合もあるが、白線や蛍光塗料による線により指示している場合も多い。白線は長期間が経過すると劣化するので、再塗装の必要があるし、特に、積雪地域では除雪作業により線が消えてしまうので、雪解けと共に毎年、再塗装する必要が生ずる。本発明の側溝用ブロックにより側溝を施工し、鋼材が埋め込まれた縁を歩車道境界とすれば、境界線が消えたり、剥がれたりすることはないので、再塗装する手間を省くことができ、常に安全な歩道を施工することができる。
【００１２】
さらに、鋼材により歩車道境界を施工すると、周囲と境界の素材が異なるので、音により境界を判断することができるというメリットがある。これは、特に、目の不自由な歩行者にとって有効である。
【００１３】
本発明の効果の１つは、一方の縁は鋼材により補強されているが、他方の縁は鋼材が埋設されておらず、コンクリート製になるので、それに続くコンクリート製あるいはアスファルト製の歩道などと一体化したデザインの側溝を施工できることである。鋼製の一方の縁を除いた側溝用ブロックの上面に、格子模様、タイル模様、レンガ模様などの歩道側にも用いられる模様を形成しておくことにより、側溝の表面を歩道として利用したり、それに繋がる歩道と一体化する設計が可能となる。その一方で、車道側となる反対側の縁は鋼材により明確になっているので、歩車道の境界も明確となる。
【００１４】
本発明のさらなる効果は、鋼材の影響を除くことができることである。鋼材は、コンクリート製のコーナーを補強できるという効果を持つ反面、錆びる可能性があり、その錆び汁が田畑などの民地に流れ込むことは好ましくない。本発明に係る側溝用ブロックであれば、民地に面する側を鋼材により補強されていない側にすれば、たとえ埋設された鋼材が錆びたとしても、その錆び汁が民地側に流れ込むことが未然に防止できる。その一方で、側溝の縁に車輪が頻繁に通過するとその縁が欠けることがあり、歩道または民地側の縁がほとんど損傷しないのと比較されると、美観を損ねていることが多いが、そのような不具合を防止できる。
【００１５】
さらに、一方の縁は鋼材により補強されているが、他方の縁は鋼材が埋設されていないので、他方の縁の用途が広がる。例えば、他方の縁を、歩車道境界などを示す縁石を設置できるように凹ませることも可能となる。側溝用ブロックの上面が、他の縁に設置される縁石に向かって車道と同じような勾配を形成している側溝用ブロックを提供可能であり、このようなブロックは車道側の縁が高くなるので、車道側の縁が傷みやすい。本発明の側溝用ブロックであれば、傷みやすい車道側の縁をアングルなどの鋼材により保護することができる。鋼材にアングルを用いた場合、側溝用ブロックの上面とアングルの上側の面とはスムーズに繋がっていることが望ましい。１つの方法は、アングルの角度を上面の傾きに合わせて変えて、一方の縁に埋設することである。コーナーが直角のアングルを、一方の縁に埋設して、アングルを過ぎた当たりから側溝用ブロックの上面を傾けても良い。また、コーナーが直角のアングルを側溝用ブロックの上面の傾きに合わせて傾けて埋設することも可能であり、この場合、アングル材の側面が、側溝用ブロックのコンクリート製の側面に対して傾いて埋設される。
【００１６】
本発明のさらなる効果は、積雪地帯において、除雪される道路に沿って側溝を施工する場合の効果である。除雪車の除雪ブレードが雪を押しながら側溝の上まで滑ってくる場合、道路と側溝の縁との間に微小な段差があると、側溝の縁はブレードにより損傷し易い。しかしながら、鋼材が埋め込まれていれば、ブレードはその上を滑るので、損傷することはない。一方、側溝の反対側の縁に着目すると、反対側の縁にもアングルが埋め込まれている場合、アングルと側溝の表面との間にわずかな段差があれば、ブレードはそこに引っかかってブレードを損傷するか、アングルを損傷させたり、アングルが側溝から剥離する要因になる。しかしながら、本発明の側溝用ブロックでは、道路側だけがアングルなどにより補強されるので、他方の縁にはブレードと干渉するようなものがない。したがって、除雪する際に、埋設されたアングルは有益に作用し、埋設されたアングルが返って除雪作業の障害になるようなことはない。
【００１７】
本発明は、断面がＵ字型のＵ字型側溝、底面を現場で施工し上壁の一部が開渠となった自由勾配側溝、およびカルバート型側溝のいずれのタイプの側溝を施工するのに用いられる側溝用ブロックに適用できる。これらの側溝用ブロックの縁にアングルを埋設する際には、アングル材の側面が、当該側溝用ブロックのコンクリート製の側面から後退するように埋設することにより、市販されているアングル材を用いて、側溝用ブロックの上面がアングル材の上面に揃った、平らな上面を備えた側溝用ブロックを提供できる。
【００１８】
コンクリート製品のほとんどは、コーナー部分の欠けを防止するために数ｍｍ程度であってもコーナー部分が面取りされるように耐久性の型枠を形成する。これに対し、市販されている鋼製のＬ字型のアングルは、コーナー部分が面取りされていないか、されていても微小であるか、あるいは、コーナー部分が曲率半径の小さな曲面になるように加工されている。したがって、耐久性の型枠のコーナー部分にアングルをセットしようとすると、アングルのＬ字型の外側の形状と、型枠のコーナー部分の内側の形状とは一致しない。したがって、本発明においては、側溝用ブロックの上面を成形する型枠の面に、アングルの上面を合わせてセットし、側溝用ブロックの側面を成形する型枠の面と、アングルの側面との間に隙間が生じる状態にし、その隙間を適当な材料、例えば、発泡スチロールなどで形成された補助プレートを取り付けて埋め、側溝用ブロックを製造する。すなわち、本発明の製造方法では、側溝用ブロックが埋設されたときに地表面に出る長手方向の縁の少なくともいずれか一方を形成する型枠のコーナー部分の、側溝用ブロックのコンクリート製の側面を形成する側にコーナー部分の面取りと同程度の厚みの補助プレートを取付け、その補助プレートの内側にアングル材を配置し、型枠にコンクリートを注入し、少なくともいずれか一方の縁にアングル材が埋設された側溝用ブロックを形成する。この製造方法であれば、アングルを埋め込まない側溝用ブロックと同じ型枠を用いて、一方あるいは両方の縁に、市販のアングルが埋設された側溝用ブロックを製造することが可能となる。
【００１９】
さらに、アングル材の上面または側面の一部分をＬ字型の内側に向かって切り起こして埋設することにより、その切り起こした部分がアンカーとなり、アングル材を安定して側溝用ブロックに埋設することができる。したがって、スタッドボルトなどのアンカーとなる部材を溶接する手間を省くことができ、経済的である。また、アングル材にスタッドボルトなどを溶接すると、その溶接跡が表面から見えたり、溶接することによりアングル材が歪む可能性がある。これに対し、アングルの一部を切り起こすのであれば、アングル材が変形する可能性は殆どない。また、切り起こした残りの欠けた部分は、コンクリートを注入することにより埋まり、見栄えも良く、保護が必要なコーナー部分は鋼材により保護されるので、本願の発明の効果を損ねることはない。
【発明を実施するための最良の形態】
【００２０】
以下に図面を参照しながら、本発明の実施の形態を説明する。図１に、一方の縁にアングルが埋設された側溝用ブロックの一例を示してある。この側溝用ブロック１は、長手方向Ｌに延び、底面を現場で施工し、上壁１０の中央部分が開渠（開口）１９となった自由勾配側溝と称されるコンクリート製の流路の一形態を施工する側溝用ブロックである。側溝が施工された後、開口１９はコンクリート製の蓋３０あるいはグレーチング製の蓋により塞がれる。側溝用ブロック１は、埋設されたときに地表面に出る上壁１０の長手方向に延びた両側の縁１１および１２のうち、一方の縁１１に鋼製のアングル２０が埋設されており、他方の縁１２はコンクリートのままである。
【００２１】
図２に、側溝用ブロック１の端面１８の内、アングル２０が埋設された縁１１の近傍を拡大して示してある。また、図３には、側溝用ブロック１の端面図（正面図（図３（ａ）））、平面図（図３（ｂ））、底面図（図３（ｃ））、右側面図（図３（ｄ））および開口部分の断面図（図３（ｅ））を示してある。左側面図は、アングル２０が見えないことを除けば右側面図と同一であり、背面図は正面図と対称である。
【００２２】
図４に、複数の側溝用ブロック１を長手方向Ｌに接続して歩道５１と車道５２との間に側溝５５を施工した状態を示してある。アングル２０が埋設された方の縁１１が車道５２の側に、アングル２０が埋設されていない方の縁１２が歩道５１の側になるように、側溝用ブロック１は埋設されている。したがって、この側溝５５は、道路５２に沿って、道路側に鋼製の補強されたコーナー１１があり、反対側は鋼製で補強されていないコンクリート製のコーナー１２があるという、上面１０の構成が非対称な側溝となっている。この側溝５５においては、車道５２に面し、車両が通過する可能性がある縁１１が鋼製のアングル２０により補強されているので、車両が頻繁に通過するような事態になっても側溝５５のコーナーが欠けることはなく、耐久性の高い側溝５５を施工できる。道路５２は、地盤が一部沈下したり、舗装が劣化すると表面の舗装を剥いで再度舗装を施工することにより比較的簡単にメンテナンスできる。これに対し、側溝５５を構成している側溝用ブロック１のコーナー部分が損傷したからといって、側溝用ブロック１を交換することは経済的にも、施工期間からも通常はありえない。したがって、側溝用ブロック１の耐久性を向上することは重要である。
【００２３】
一方、アングルの埋設されていない縁１２は、歩道５１の側に配置されている。したがって、車両がアングルの埋設されていない縁１２を通過することがあるとしても、車両を歩道５１に乗り上げたり、歩道５１を乗り越して民地に乗り込むときに限られる。このため、アングルで補強されていなくても殆ど損傷することはない。
【００２４】
また、本例の側溝用ブロック１においては、アングル２０により縁１１の部分だけが補強されており、開口１９の内部の蓋受けなどは補強していない。道路５２の脇に沿って施工された側溝５５を車両が頻繁に通過する機会は基本的に少ない。道路５２の歩道側の脇を通過する場合は、車両同士のすれ違いや、路肩に停車する目的に限られるからである。したがって、最も車道側に位置する側溝１の縁１１の上を車両が通過する機会は多少多いとしても、側溝１の開口１９の蓋３０を車両が頻繁に通過することは少なく、コンクリート製の蓋３０であっても耐久性は十分に確保できる。このため、グレーチング蓋を積極的に採用する理由はなく、また、グレーチング蓋の跳ね上げを防止したり、車両が通過するときのグレーチング蓋とコンクリート製の蓋受けとの間の衝撃による損傷を防止する必要はない。したがって、車道５２に面したコーナー１１に限定した補強を行えば良く、アングル材２０を埋設することにより十分に耐久性を確保できる。したがって、本例の側溝用ブロック１は極めて低コストで製造でき、また、販売できる。
【００２５】
本例の側溝５５においては、車道５２の側の縁に埋め込まれているアングル２０が路肩および歩道５１と車道５２の境界を示す。アングル２０は、亜鉛メッキ製であり、錆び難いと共に、ライトを反射して、夜間においても歩車道の境界を明確に示すことができる。また、亜鉛メッキ製のアングル２０は、耐久性が高いので、白線などのように、短期間に劣化することはない。さらに、積雪地域では除雪作業により線が消えてしまうことも無いので、歩車道の境界線を雪解けと共に毎年、再塗装する手間を省くことができる。
【００２６】
さらに、コンクリートと材料の異なる鋼製のアングル２０により歩車道の境界が示されているので、その上を歩いたり、叩いたりすることにより、音や感触で歩車道の境界を感知することができる。したがって、目の不自由な歩行者にとっても歩車道の境界が分かり易い。
【００２７】
車道５２の側にアングル２０による補強があることは、積雪地帯において、道路を除雪する際にも有効である。除雪車の除雪ブレードが雪を押しながら側溝５５の上まで滑ってくる場合、車道５２と側溝５５の縁１１との間に微小な段差があると、側溝の縁はブレードにより損傷し易い。しかしながら、鋼材であるアングル２０が埋め込まれていれば、ブレードはその上を滑るので、ブレードも側溝のコーナー１１も損傷することはない。一方、側溝の反対側の縁１２に着目すると、アングルは埋め込まれていないので、ブレードが引っかかることはない。したがって、歩道５１の上も含めて除雪したり、歩道５１の代わりに田畑などの民地であれば、路肩から雪を捨てることも容易になる。
【００２８】
また、側溝５５においては、歩道５１の側の縁１２には、周囲と材料が異なり、目立つアングル２０が埋設されていない。したがって、側溝５５の上面１０ａを歩道５１の一部として一体感のあるデザインにすることが可能である。図５はその一例であり、この側溝用ブロック２においては、上面１０ａに歩道５１に施工するのと同じサイズおよびピッチのレンガ模様が施されている。さらに、蓋３０にも同じレンガ模様が施されている。したがって、歩道５１に沿って側溝５５を施工すると、側溝５５の上面１０ａは歩道５１と連続した模様となる。一方、側溝５５の車道５２の側には光沢のあるアングル２０が埋設されているので、歩道５１と車道５２との境界は明確になる。
【００２９】
本例の側溝用ブロックを用いて、車道５２と田畑などの民地との境界に側溝５５を施工する場合も、車道５２と歩道５１との間と同様に、アングル２０が埋設された縁１１を車道５１の側とし、アングル２０が埋設されていないコンクリート製の縁１２を民地の側にすることが有効である。亜鉛メッキされたアングル２０も風雪に長期間晒されると部分的に錆びる可能性があるが、車道５２の側だけに埋設されていれば、その錆び汁が田畑などの民地に流れ込む可能性は殆どない。したがって、民地が錆び汁により汚染されることはない。
【００３０】
図６に、さらに異なる側溝用ブロック３の概要を斜視図により示してある。また、図７に、側溝用ブロック３により歩道５１と車道５２との間に側溝５５を施工した様子を示してある。この側溝用ブロック３は、上壁１０の上面１０ａに碁盤、タイルあるいは格子模様と称される目の細かい模様を設けている。そして、車道５２の側に面する縁１１は上記と同様にアングル２０が埋設されており、反対側の縁１２は上面１０ａに続く模様が付されている。このような側溝用ブロック３により歩道５１と車道５２との間に側溝５５を施工すると、側溝５５の上面１０ａを歩くことにより、歩道５１の境界にいることを足裏の感覚から感知することができる。そして、夜間であっても、車両のライトにより光るアングル２０が歩車道の境界を示すので、さらに安全である。
【００３１】
図８に、さらに異なる側溝用ブロックのアングルが埋設された縁１１を拡大して示してある。この側溝用ブロック４においては、アングル材２１の側面２３が、側溝用ブロック４のコンクリート製の側面１３から後退しており、アングル材２１の側面２３と、側溝用ブロック４のコンクリート製の側面１３との間にアングル材２１の厚さ程度、すなわち、数ｍｍから１０ｍｍ程度の段差２９がある。上記の側溝用ブロック１〜３に埋設されているアングル材２０は、フォーミングアングルと称されており、小さな曲率半径のコーナーを備えている。このアングル材２０は、主に、板材を曲げ加工して製造されており、面取りと同じ程度の湾曲したコーナーを備えているので型枠にセットして側溝用ブロックに埋設するには都合が良い。その一方で、曲げ加工するためにアングル材としては製造コストが高い。図８に示した側溝用ブロック４に埋設されているアングル材２１は、熱間圧延品であり、製造コストは低い。しかしながら、コーナーは略直角になっている。この他に、アングル材としてはコールドと称される冷間加工品があるが、その形状も略熱間圧延品と同様であり、Ｌ字型のコーナー部分はほぼ直角である。
【００３２】
道路などに沿って施工される側溝の内、車道５２に沿った側溝５５の割合がほとんどであり、車道を横断するような部分はほとんどない。したがって、車道５２に沿った側溝５５を施工しようとすると、そのための側溝用ブロックの製造コストはできる限り低い方が好ましい。したがって、アングル材としても低コストの熱間圧延品が好ましい。しかしながら、コーナー部分がほぼ直角であるというのが製造上の大きなネックになる。すなわち、図９に示すように、側溝用ブロックは、台盤６０の上に組み立てられた内型枠６１と、外型枠６２との間にコンクリートを注入して製造するが、コンクリート製品のコーナー部分を成型する型枠の内側の部分６３は、成形されたコンクリート製品のコーナーの欠けを防止するために面取りする形状となっている。したがって、コーナーがほぼ直角のアングル材２１は、型枠のコーナー部分６３に密着するように設置することは不可能となる。
【００３３】
この問題を解決する方法は幾つかある。１つは、アングル２１の側面２３を外型枠６２の内面に付けた状態にセットすることである。この方法は、型枠内にアングル２１を固定することが難しく、また、アングル材２１の表面２４の上に薄くコンクリートが載ることになるが、直ぐに剥がれてしまい、側溝の表面１０ａとアングル２１の表面２４との間に段差が生じることになる。他に、アングル２１の表面２４を台盤６０の表面に付けた状態にセットすることが可能である。この方法は、型枠内にアングル２１を固定することが比較的容易である。しかしながら、アングル材２１の側面２３に薄くコンクリートが載ることになるが、直ぐに剥がれてしまい、側溝の側面１３とアングル２１の側面２３との間に段差が生じることになる点は変わらない。
【００３４】
そこで、本例においては、図９に示すように、外型枠６２の内面のコーナー用の面取り部分６３に繋がる領域に、アングル材２１とほぼ同じ幅のフラットバー６５を取り付け、このフラットバー６５と台盤６０の表面に接するようにアングル材２１をセットし、型枠内にコンクリートを注入して側溝用ブロックを製造するようにしている。この製造方法であると、アングル材２１は、台盤６０およびフラットバー６５により支持されるので、コンクリートを注入している途中で動いたりすることがなく、品質の安定した側溝用ブロックを簡単に量産できる。また、フラットバー６５を取り除けば、アングル材を埋設しない従来の側溝用ブロックと型枠を共通に使用することが可能であり、非常に経済的である。
【００３５】
また、この製造方法により製造された側溝用ブロック４は、製造直後から段差２９があり、アングルの表面に薄いコンクリートの層はない。したがって、コンクリートが剥がれたりする恐れはなく、見栄えも良く、また、品質も安定している。側溝用ブロック４の側面１３に形成された段差２９は、側溝５５を施工する際に、車道５２の方向を向く部分であり、破線で示すように、アスファルトやコンクリートといった舗装用の部材５９で埋まる。したがって、側面１３に形成された段差２９が側溝５５および車道５２を施工する上で障害にはならない。逆に、段差２９があることにより、車道５２と側溝５５との境界部分の舗装部材５９が側溝５５の側から支持され一体になる。車道５２と側溝５５との境界部分は、地盤沈下などのために舗装５９が沈んで、側溝５５のコーナー１１が現れて車道５２と側溝５５との間に段差が生じることがある。これに対し、本例の側溝用ブロック４を採用することにより、舗装５９の境界部分を側溝５５と一体化できるので、側溝５５と車道５２との境界に段差が発生することを抑止できる。
【００３６】
なお、図８および図９に基づき説明した製造方法は、片側の縁にアングル材が埋設された側溝用ブロックに限らず、図１０に示すように、両側の縁にアングル材が埋設された側溝用ブロック５にも適用できるものである。この製造方法により、両側の縁１１および１２にアングル材２１が埋設され、それらの側面２３がコンクリートの側面１３から一段凹んだ道路横断用の側溝用ブロック５を製造し、提供することができる。この側溝用ブロック５を採用することにより、道路横断する側溝の両側で道路の舗装が沈下して側溝の縁との間に段差が発生する事態を防止できる。したがって、車両が走行する際の衝撃を減らすことができ、道路としては耐久性が高く、凹凸が発生することの少ない乗り心地の良いものを提供でき、側溝としては、コーナー部分に加わる衝撃を低減できるので、さらに耐久性の高いものを提供できる。
【００３７】
アングル材とブロックとの密着性を高めるためには、スタッドボルトなどのアンカーとして機能する部材をアングル材に取り付けて側溝用ブロックに埋設しておくことが望ましい。しかしながら、アンカー用の部材を溶接する手間がかかり、また、溶接によりアングル材が歪むと、それを直すという手間もかかる。本例の側溝用ブロックにおいては、図１１に示すように、アングル材２１の一部をコンクリートに埋設される方向に切り起こしてアンカーとして機能させるようにしている。切り起こす方法は幾つかある。図１１に示した切り起こし２７ａは、アングル２１の上面２４の中央部分をほぼ台形にカットして、長辺の側が立つように切り起こしている。切り起こし２７ｂは、アングル２１の上面２４の縁からほぼ台形に切り込みを入れて、長辺の側が立つように切り起こしている。
【００３８】
いずれの場合も、逆テーパー状に部材がコンクリート内に突き出た状態となるので、切り起こした部分２７ａおよび２７ｂはアンカーとして十分な機能を果たす。また、この方法であると、アンカー用の部材を溶接により取り付ける必要がないので、アンカー用の部材は不要であり、さらに、部材を取り付ける手間と、ひずみが発生したときの手直しの手間を省くことができる。したがって、経済的であり、アングル２１が歪んだり、溶接した跡が表れることがないので外観も優れている。アングル２１の表面２４の、アンカーとなる部材を切り起こした跡２８は、アングル２１を型枠内にセットしてコンクリートを注入することによりコンクリートが回り込んで塞がり、外観上も、機能上も問題はない。アンカーとなる切り起こしをアングル２１の側面２３に設けることも可能であり、この場合は、車道５１の舗装に埋まるので、側溝５５を施工した後は、全く見えなくなる。
【００３９】
図１２に、一方の縁にアングルが埋設された側溝用ブロックの異なる例を示してある。この側溝用ブロック６は、長手方向Ｌに直交する断面がほぼＵ字型の側溝を施工するためのものである。側溝が施工された後、上部の開口１９はコンクリート製の蓋３０あるいはグレーチング製の蓋により塞がれる。この側溝用ブロック６は、埋設されたときに地表面に出る長手方向に延びた両側の枠１５の外側の縁１１および１２のうち、一方の縁１１に鋼製のアングル２０が埋設されており、他方の縁１２はコンクリートのままである。
【００４０】
図１３に、側溝用ブロック６の端面１８の内、アングル２０が埋設された縁１１の近傍を拡大して示してある。また、図１４には、側溝用ブロック６の端面図（正面図（図１４（ａ）））、平面図（図１４（ｂ））、底面図（図１４（ｃ））、右側面図（図１４（ｄ））および断面図（図１４（ｅ））を示してある。左側面図は、アングル２０が見えないことを除けば右側面図と同一であり、背面図は正面図と対称である。
【００４１】
図１５に、複数の側溝用ブロック６を長手方向Ｌに接続して歩道５１と車道５２との間に側溝５５を施工した状態を示してある。アングル２０が埋設された方の縁１１が車道５２の側に、アングル２０が埋設されていない方の縁１２が歩道５１の側になるように、側溝用ブロック６は埋設されている。したがって、この側溝５５も、道路５２に沿って、道路側に鋼製の補強されたコーナー１１があり、反対側は鋼製で補強されていないコンクリート製のコーナー１２があるという、路面に現れるデザインが非対称な側溝となっている。この側溝５５においても、車道５２に面し、車両が通過する可能性がある縁１１が鋼製のアングル２０により補強され、反対の歩道側５１の縁１２が鋼製のアングルでは補強されておらず、コンクリートが現れている基本的な構成は上記において説明した側溝と共通する。したがって、本例の側溝用ブロック６を用いて側溝を施工することにより、歩車道の境界に耐久性のさらに高い側溝を低コストで施工でき、また、上記において説明した本発明の側溝用ブロックおよび側溝に係るその他の効果も得ることができる。
【００４２】
図１６に、一方の縁にアングルが埋設された断面がＵ字型の側溝用ブロックの異なる例を示してある。また、図１７に、この側溝用ブロック７の端面１８を拡大して示してある。さらに、これらのＵ字型の側溝用ブロックに、図８および図９において説明したような熱間加工品のアングル材２１を埋設することも可能である。このように、本発明は、様々な形態の側溝用ブロックに適用することが可能なものであり、この他にも、上方に開口がなく、殆どの部分が暗渠で構成されるカルバートタイプの側溝を施工する側溝用ブロックにも本発明を適用することが可能である。
【００４３】
図１８に、一方の縁にアングルが埋設された側溝用ブロックの異なる例を示してある。この側溝用ブロック８は、長手方向Ｌと直交する断面が門型で下方がオープンとなった自由勾配側溝あるいは可変側溝と称される側溝を施工するためのものである。側溝用ブロック８の、埋設されたときに地表面に出る長手方向に延びた縁１１および１２のうち、一方の縁１１に鋼製のアングル２０が埋設されており、他方の縁１２はコンクリートのままで、段差ができるようにコーナーを切り欠いて凹ませてある。さらに、側溝用ブロック８の上面１０ａは、他方の縁１２が低くなるように傾斜しており、道路５２の水勾配とほぼ一致するようになっている。
【００４４】
図１９に、本例の側溝用ブロック８を用いて施工された側溝５５の構造を示してある。この側溝用ブロック８を、アングル２０が埋設された縁１１を車道５２に向けて埋設して側溝５５を施工することにより、側溝５５の上面１０ａが、車道５２の表面と同様に歩道５１の側が低くなるように傾いた、水勾配を備えた側溝５５が形成される。他方の縁１２は段差が形成されるように凹んでいるので、縁石ブロック５９を組み込み、側溝用ブロック８を基礎として縁石ブロック５９を支持することが可能である。側溝用ブロック８は、基礎５８により所定の高さに整えて施工されるのに対し、歩道５１の側は殆ど基礎も打たれずに施工されるので微小な沈下が発生しうる。縁石ブロック５９を側溝用ブロック８により支持することにより、縁石ブロック５９を側溝５５と同じ精度で高さを揃えて施工することが可能となる。
【００４５】
図２０には、側溝用ブロック８の端面図（正面図（図２０（ａ）））、平面図（図２０（ｂ））、左側面図（図２０（ｃ））、右側面図（図２０（ｄ））および断面図（図２０（ｅ））を示してある。底面図は、図３に示したものと略同じである。また、背面図は正面図と対称となる。
【００４６】
この側溝用ブロック８は、上面１０ａが角度θで傾いている。したがって、図２１（ａ）に示したブロック８では、上面１０ａをポイント１７の位置まで水平にした後に角度θの傾斜にすることにより、アングル２０の上面２４とブロック８の上面１０ａとがスムーズに繋がり、アングル２０の端がコンクリートから出るような事態を防止している。図２１（ｂ）に示したブロック８では、コーナーの角度αが９０度より小さなアングル２０ａを埋設することにより、アングル２０ａの上面２４が角度θで傾き、ブロック８の上面１０ａの全体が傾くようにしている。図２１（ｃ）に示したブロック８では、コーナーが９０度に曲がったアングル２０の上面２４がブロック８の上面１０ａと平らになるように角度θだけ傾けて埋設している。このため、アングル２０の側面２３は、側溝用ブロック８のコンクリート製の側面１３に対して角度βだけ傾いて埋設されており、アングル２０の側面２３の端２３ａの位置で側溝用ブロック８の側面の角度が変化した形状となっている。側溝用ブロック８の道路側に向いた側面は舗装で覆われてしまうので、アングル２０の端の部分で角度が変化しても側溝用ブロックの性能を低下させる要因にはならない。図２１（ｄ）に示したブロック８は、熱間圧延品のアングル材２１を、その上面２４がブロック８の上面１０ａと同じ角度になるように傾けて埋設している。
【００４７】
図２１（ａ）に示した側溝用ブロック８は、上面１０ａの途中から傾きが変わるので、車道側の傾きと一体になった側溝を施工することが難しい。図２１（ｂ）に示した側溝用ブロック８は、上面１０ａの傾きを一様にできるが、アングル２０のコーナーの曲げ角αを９０度より小さくする必要があるので、製造コストが上昇する。これに対し、図２１（ｃ）および（ｄ）に示した側溝用ブロック８は、市販されている曲げ角が９０度のアングル材２０および２１を用いて、上面１０ａが一様に傾いた側溝用ブロックを提供することができる。
【図面の簡単な説明】
【００４８】
【図１】一方の縁にアングルが埋設された側溝用ブロックの概要を示す斜視図である。
【図２】アングルが埋設された部分を拡大して示す図である。
【図３】図１に示す側溝用ブロックの正面図（ａ）、平面図（ｂ）、底面図（ｃ）、右側面図（ｄ）および断面図（ｅ）である。
【図４】図１に示す側溝用ブロックにより施工された側溝を示す図である。
【図５】異なる側溝用ブロックにより施工された側溝を示す図である。
【図６】さらに異なる側溝用ブロックの概要を示す斜視図である。
【図７】図６に示す側溝用ブロックにより施工された側溝を示す図である。
【図８】さらに異なる側溝用ブロックのアングルが埋設された部分を拡大して示す図である。
【図９】図８に示す側溝用ブロックを型枠により製造する様子を示す図である。
【図１０】さらに異なる側溝用ブロックの概要を示す斜視図である。
【図１１】アングルの一部を拡大して示す図である。
【図１２】一方の縁にアングルが埋設された異なる側溝用ブロックの概要を示す斜視図である。
【図１３】アングルが埋設された部分を拡大して示す図である。
【図１４】図１２に示す側溝用ブロックの正面図（ａ）、平面図（ｂ）、底面図（ｃ）、右側面図（ｄ）および断面図（ｅ）である。
【図１５】図１２に示す側溝用ブロックにより施工された側溝を示す図である。
【図１６】さらに異なる側溝用ブロックの概要を示す斜視図である。
【図１７】図１６に示す側溝用ブロックの端面を拡大して示す図である。
【図１８】一方の縁にアングルが埋設された異なる側溝用ブロックの概要を示す斜視図である。
【図１９】図１８に示す側溝用ブロックを埋設して側溝を施工した状態を示す断面図である。
【図２０】図１８に示す側溝用ブロックの正面図（ａ）、平面図（ｂ）、左側面図（ｃ）、右側面図（ｄ）および断面図（ｅ）である。
【図２１】（ａ）〜（ｄ）は、図１８に示す側溝用ブロックの幾つかのバリエーションを拡大して示す図である。
【符号の説明】
【００４９】
１〜８  側溝用ブロック
１１、１２  長手方向の縁
２０、２１  アングル
５１  歩道、  ５２  車道
５５  側溝
【図１】
2005290745.tif 000003
【図２】
2005290745.tif 000004
【図３】
2005290745.tif 000005
【図４】
2005290745.tif 000006
【図５】
2005290745.tif 000007
【図６】
2005290745.tif 000008
【図７】
2005290745.tif 000009
【図８】
2005290745.tif 000010
【図９】
2005290745.tif 000011
【図１０】
2005290745.tif 000012
【図１１】
2005290745.tif 000013
【図１２】
2005290745.tif 000014
【図１３】
2005290745.tif 000015
【図１４】
2005290745.tif 000016
【図１５】
2005290745.tif 000017
【図１６】
2005290745.tif 000018
【図１７】
2005290745.tif 000019
【図１８】
2005290745.tif 000020
【図１９】
2005290745.tif 000021
【図２０】
2005290745.tif 000022
【図２１】
2005290745.tif 000023